(57)【要約】【課題】電話機の音量を制御する受話音量制御装置に関するものであり、電話機のスピーカー音を利用者が好むと思われる音量に自動調整する受話音量制御装置を提供することを目的とする。【解決手段】通話時に利用者から与えられる値を継続的に入力する入力手段と、前記入力手段より得られた値を元に判定し受話音量を調整する音量制御手段とからなり、利用者が好むと思われる音量に電話機が自動で判定し調整することを主要な特徴とするものであり、利用者が電話機の音量の手動での調整方法を知らなくても、自動で好ましい音量になるという効果を有する。【選択図】図２
2006270300.tif 000002
【特許請求の範囲】
【請求項１】
通話時に利用者から与えられる値を継続的に入力する入力手段と、前記入力手段より得られた値を元に判定し受話音量を調整する音量制御手段とを有し、
前記音量制御手段が前記値に基づいて利用者に供給する前記受話音量を調整することを特徴とする受話音量制御装置。
【請求項２】
前記入力手段はハンドセットに配置され耳に押し付ける強さを測る圧力センサーであって、
前記音量制御手段は、前記圧力センサーの測定した値が予め定めた第一の値より小さいと判定すれば前記受話音量を小さくし、予め定めた第二の値より大きいと判定すれば前記受話音量を大きくするように前記受話音量を調整することを特徴とする請求項１記載の受話音量制御装置。
【請求項３】
前記入力手段はハンドセットまたは電話機本体に配置されたマイクであって、
前記音量制御手段は、前記マイクから入力された音量の値が予め定めた第三の値より小さいと判断すれば前記受話音量を小さくし、予め定めた第四の値より大きいと判断すれば前記受話音量を大きするように前記受話音量を調整することを特徴とする請求項１記載の受話音量制御装置。
【発明の詳細な説明】
【技術分野】
【０００１】
本発明は、電話機の音量を制御する受話音量制御装置に関するものである。
【背景技術】
【０００２】
従来の電話機のスピーカー音量を個人的な好みの音量に調整する場合、音量調節スイッチ等により手動で明示的に設定する必要があった。例えば（文献１）には、音量調節スイッチにより受話音量を調節する例が開示されている。
【特許文献１】特開平２−９８２６５号公報
【発明の開示】
【発明が解決しようとする課題】
【０００３】
解決しようとする問題点は、利用者が手動での音量の調整方法を知らなければ、好みの音量に調整することができない点である。
【課題を解決するための手段】
【０００４】
本発明は、通話時に利用者から与えられる値を継続的に入力する入力手段と、前記入力手段より得られた値を元に判定し受話音量を調整する音量制御手段とからなり、受話音量を利用者が好む音量に自動的に調整するように構成したことを主要な特徴とする。
【発明の効果】
【０００５】
本発明の受話音量制御装置は、利用者が電話機の音量の手動での調整方法を知らなくても、自動で好ましい音量になるという利点がある。
【発明を実施するための最良の形態】
【０００６】
本発明は、電話機のスピーカー音量を利用者が好むと思われる音量に自動調整するという目的を、電話機のハンドセットに組み込まれた圧力センサーと、電話機のハンドセットまたは電話機本体に組み込まれたマイクを使って、そこから得られる情報を元に利用者の好みの音量を推測するという手段を使って実現した。
【０００７】
上記課題を解決するためになされた第１の発明は、通話時に利用者から与えられる値を継続的に入力する入力手段と、前記入力手段より得られた値を元に判定し受話音量を調整する音量制御手段とからなり、前記音量制御手段が受話音量を利用者が好む音量に自動的に調整するように構成したことを特徴とする受話音量制御装置である。
【０００８】
これにより利用者が音量調整方法を知らなくても、利用者が好むと思われる音量に調整されるという効果を有するものである。
【０００９】
上記課題を解決するためになされた第２の発明は、入力手段が電話機のハンドセットに耳を押し付ける強さを測る圧力センサーであって、圧力センサーの測定した値が予め定めた第一の値より小さければ受話音量を小さくし、予め定めた第二の値より大きければ受話音量を大きするように音量制御手段が自動的に判定し受話音量を調整することを特徴とする受話音量制御装置である。
【００１０】
これにより利用者が音量調整方法を知らなくても、利用者が好むと思われる音量に調整されるという効果を有するものである。
【００１１】
上記課題を解決するためになされた第３の発明は、入力手段が電話機のハンドセットまたは電話機本体に組み込まれたマイクであって、マイクから入力された音量の値が予め定めた第三の値より小さければ受話音量を小さくし、予め定めた第四の値より大きければ受話音量を大きするように音量制御手段が自動的に判定し受話音量を調整することを特徴とする受話音量制御装置である。
【００１２】
これにより利用者が音量調整方法を知らなくても、利用者が好むと思われる音量に調整されるという効果を有するものである。
【００１３】
（実施の形態１）
以下、本発明の実施の形態について図１と図２に基づいて説明する。
【００１４】
図１は本発明の電話機のブロック図である。図１において、１０１は電話機本体、１０２は電話機本体１０１に組み込まれたスピーカーで、呼び出し音だけでなく、ハンドセットを使わない通話時にも使用される。１０３は電話機本体１０１に組み込まれたマイクで、ハンドセットを使わない通話時に使用される。１０４は電話機本体１０１に組み込まれた音量制御手段で、マイク１０３またはマイク１０７または圧力センサー１０８からの情報を元に、スピーカー１０２またはスピーカー１０６の音量を自動調整する。１０５はハンドセットで、ケーブルまたは無線装置により電話機本体１０１に接続されている。１０６はハンドセット１０５に組み込まれたスピーカー、１０７はハンドセット１０５に組み込まれたマイク、１０８はハンドセット１０５に組み込まれた電話機のハンドセット１０５に耳を押し付ける強さを測る測定手段としての圧力センサーである。
【００１５】
図２は音量制御装置１０４における音量の制御手順を表した実施の形態１の受話音量制御処理を示すフローチャートである。図２に示す処理は、電話機の利用者がハンドセット１０５を使った通話時において、スピーカー１０６から聞こえてくる音が小さければハンドセット１０５を耳に強く押し当て、逆に、スピーカー１０６から聞こえてくる音が大きければハンドセット１０５を耳に軽く添えるだけとなり、また、必要以上に大きい場合はハンドセット１０５を耳から離すという行動を取ることに基づいている。
【００１６】
音量制御手段１０４は、通常の電話機が備えるフック状態を判断してハンドセット１０５が使用中であるか否かを判定する（ステップ２０１）。使用中であればステップ２０２へ移行し、使用中でなければ音量制御処理を終了する。
【００１７】
ステップ２０１でハンドセット１０５が使用中であると判断した場合ハンドセット１０５の圧力センサー１０８の示す圧力値と予め定めておいた第一の値である値Ａとを比較する（ステップ２０２）。圧力値が予め定めておいた値Ａよりも小さければステップ２０３へ移行し、そうでなければステップ２０４へ移行する。
【００１８】
ステップ２０２で圧力センサー１０８の示す圧力値が予め定めておいた値Ａよりも小さければスピーカー１０６の音量を小さくしステップ２０４へ移行する（ステップ２０３）。
【００１９】
ハンドセット１０５の圧力センサーの示す圧力値が予め定めておいた第二の値である値Ｂよりも大きければステップ２０５へ移行し、そうでなければステップ２０１へ移行する（ステップ２０４）。
【００２０】
音量制御手段１０４はスピーカー１０６の音量を大きくし（ステップ２０５）ステップ２０１へ戻り、ハンドセット１０５が使用中である限り、図２の処理を継続する。
【００２１】
ここで、フローチャートにおいて、圧力値Ａは圧力値Ｂ以下である。
【００２２】
（実施の形態２）
次に、本発明の他の実施の形態について図１と図３に基づいて説明する。
【００２３】
図１は「実施の形態１」で各構成要素を示した電話機の構成図であるためここでの説明は省略する。
【００２４】
図３は音量制御装置１０４における音量の制御手順を表した実施の形態２の受話音量制御処理を示すフローチャートである。図３に示す処理は、電話機の利用者が通話時において、スピーカー１０２、または、スピーカー１０６から聞こえてくる音が小さければマイク１０３、または、マイク１０７に対して大きく発話し、逆に、スピーカー１０２、または、スピーカー１０６から聞こえてくる音が大きければマイク１０３、または、マイク１０７に対して小さく発話するという行動を取ることに基づいている。
【００２５】
マイク１０３、または、マイク１０７への入力音量と予め定めておいた第三の値である値Cとを比較する（ステップ３０１）。入力音量が予め定めておいた値Cよりも小さければステップ３０２へ移行し、そうでなければステップ３０３へ移行する。
【００２６】
ステップ３０１でマイク１０３、または、マイク１０７への入力音量が予め定めておいた値Cよりも小さければスピーカー１０２、または、スピーカー１０６の音量を小さくしステップ３０３へ移行する（ステップ３０２）。
【００２７】
マイク１０３、または、マイク１０７への入力音量と予め定めておいた第四の値である値Dとを比較する（ステップ３０３）。入力音量が予め定めておいた値Dよりも大きければステップ３０４へ移行し、そうでなければステップ３０１へ移行する。
【００２８】
音量制御手段１０４はスピーカー１０２、または、スピーカー１０６の音量を大きくし（ステップ３０４）ステップ３０１へ戻り、通話中である限り、図３の処理を継続する。
また、フローチャートにおいて、音量Ｃは音量Ｄ以下である。
【産業上の利用可能性】
【００２９】
本発明は、電話機の音量を制御する受話音量制御装置に関するものであり、利用者が電話機の音量の手動での調整方法を知らなくても、自動で好ましい音量になるという効果を有する。
【図面の簡単な説明】
【００３０】
【図１】本発明の電話機のブロック図
【図２】実施の形態１の受話音量制御処理を示すフローチャート
【図３】実施の形態２の受話音量制御処理を示すフローチャート
【符号の説明】
【００３１】
１０１    電話機本体
１０２、１０６    スピーカー
１０３、１０７    マイク
１０４    音量制御手段
１０５    ハンドセット
１０８    圧力センサー
【図１】
2006270300.tif 000003
【図２】
2006270300.tif 000004
【図３】
2006270300.tif 000005